(57)【特許請求の範囲】
【請求項１】
一端に可動自在に表示手段を有し、他端を回転可能にアーム載置台に支持され関節を有するアームと、電子装置の開閉支持部近傍を覆って設置され開閉可能なアーム載置台と、前記アーム載置台の開閉をロックするロック手段と、前記ロック手段を解除するピンと、前記アームが所定位置にあるときに前記ピンが前記ロック手段と係合可能な長さである前記アームと前記ピンとを結ぶワイヤとを備えることを特徴とする電子装置。
【請求項２】
前記ワイヤの一端は前記アームに固定され、前記ワイヤの他端は前記ピンに接続されるようしたことを特徴とする請求項１記載の電子装置。
【発明の詳細な説明】
【０００１】
【発明の属する技術分野】
本発明は、可動表示器付印字装置等の電子装置に関するものである。
【０００２】
【従来の技術】
従来、通帳などの媒体を搬送して記帳する表示器付印字装置等の電子装置としては、各種のものが既に存在する。この種の装置としては、銀行のＡＴＭや郵便局における自動預金兼引出装置などが広く知られている。
【０００３】
【発明が解決しようとする課題】
しかしながら上記従来の表示器付印字装置等の電子装置は、通常、表示器の据付位置は固定され、また印字装置は表示器の裏側の設置されているため、印字装置を開放して媒体搬送メカニズム上に発生するジャミングの修復及びイメージスキャナやローラの清掃等がやりずらいという問題点があった。
【０００４】
そこで表示器を可動できるようにして印字装置のメンテナンスの邪魔にならようにするために、パソコンなどのディスプレイ装置で実施されている自在アームの先端に表示器を取付ける構造が考えられる。
【０００５】
こうすることにより、画面の可動範囲を大きし自由度を持たせ使いやすくなるが、メンテナンスの際に自在アームを延ばした状態で載置台の開閉を行うと、表示部等の重量により表示部が自在アームによって不意の動作をして危険を伴うことがある。
【０００６】
本発明は、上記従来の問題点を解決するためになされたもので、自在アームを載置するアーム載置台が電子装置の開閉の邪魔にならず、メンテナンスの際に表示部と自在アームが所定範囲内にある場合のみアーム載置台を開閉可能とする電子装置を提供することを目的とする。
【０００７】
【課題を解決するための手段】
上記課題を解決するために本発明の電子装置は、一端に可動自在に表示手段を有し、他端を回転可能にアーム載置台に支持され関節を有するアームと、電子装置の開閉支持部近傍を覆って設置され開閉可能なアーム載置台と、前記アーム載置台の開閉をロックするロック手段と、前記ロック手段を解除するピンと、前記アームが所定位置にあるときに前記ピンが前記ロック手段と係合可能な長さである前記アームと前記ピンを結ぶワイヤとを備えることを特徴とする。
【０００８】
このような構成により、自在アームを載置するアーム載置台が電子装置の開閉の邪魔にならず、メンテナンスの際に表示部と自在アームが所定範囲内にある場合のみアーム載置台を開閉することができる。
【０００９】
また、本発明の電子装置は、前記ワイヤの一端は前記アームに固定され、前記ワイヤの他端は前記ピンに接続されるようしたことを特徴とする。このような構成により、前記ワイヤに接続された前記ピンを前記アームが所定位置にあるときに前記ロック手段と係合させることができる。
【００１９】
【発明の実施の形態】
以下、本発明の実施の形態について、図面を用いて説明する。
【００２０】
図１は、本発明の実施形態に係る電子装置の全体構成を示す前面斜視図である。以下、電子装置が可動表示器付印字装置である場合を例にして説明すると、図１において可動表示器付印字装置は、制御部２の上に据え付けられた上下２段の搬送路を有する印字装置１０と、キーボードを有する操作部４と、アーム載置台３０に載置され関節を有するアームからなる自在アーム２５の先端に取り付けられた表示器２０とから構成されている。
【００２１】
また図２（ａ）は、本発明の実施形態に係る電子装置の構成を示す裏面斜視図であり、図１で示した制御部２および操作部４は図示省略されており、また表示器２０は自在アーム２５の先端に軸支され、Ｘ軸、Ｙ軸、Ｚ軸の各方向への移動を可能にされる。図２（ｂ）は、図２（ａ）の円Ｐを拡大して示した図である。
【００２２】
図２（ａ）において本発明の実施形態に係る電子装置においてアーム載置台３０は、印字装置１０の後側部において印字装置１０の基台１８に固定された固定側板（これについては後述する）を介してねじ１５等によって固定され、また印字装置１０の後部において蝶番１７によって印字装置１０の基台１８に固定されており、固定されたアーム載置台３０に自在アーム２５が載置される。
【００２３】
自在アーム２５を自由自在に移動させるためにワイヤ２６の先端に設けられたピン２７（図２（ｂ）参照）をロック解除孔２８から取り外している。また自在アーム２５が自由自在に移動できる際、自在アーム２５の先端に軸支された表示器２０が自由に移動可能であるため表示器２０の表示位置を自由に可変することができる。
【００２４】
可動表示器付印字装置に対してジャミング除去やローラ及びイメージスキャナの清掃等を行う場合、まず印字装置１０の外側カバーを外し、次いで図３に示すようにアーム載置台３０を開けずに（固定したまま）自在アーム２５の先端に軸支された表示器２０を印字装置１０の上搬送メカ部１２を開けても邪魔にならない位置に移動させてから印字装置１０の上搬送メカ部１２を開け、ジャミング除去やローラ及びイメージスキャナの清掃等を行う。
【００２５】
印字装置１０の上搬送メカ部１２を開けた場合には、図４に示すように印字装置１０の上搬送メカ部１２がアーム載置台３０の背面から飛び出してくるためアーム載置台３０の背面から飛び出してくる部分に指挟み防止カバー３１を設けている。指挟み防止カバー３１は左右方向端部まで備えられており、印字装置１０の上搬送メカ部１２の先端側部をカバーするようにしている。
【００２６】
さらに指挟み防止カバー３１は、アーム載置台３０の背面に設けた指挟み防止カバー支点軸３９を中心に回動する構造にしている。印字装置１０の上搬送メカ部１２の開時は、上搬送メカ部１２は指挟み防止カバー３１を押し出し、そのため指挟み防止カバー３１は上搬送メカ部１２背面に付いて一緒に出てくる。
【００２７】
また印字装置１０の上搬送メカ部１２の閉時は、指挟み防止カバー３１の自重により連れ回りして、上搬送メカ部１２背面に着いた状態で元の位置に戻ってくる。つまり、印字装置１０の上搬送メカ部１２背面を指挟み防止カバー３１により自動的にガードするため、指等が挟まることがなく作業安全性が高まる。
【００２８】
図５（ａ）乃至図５（ｃ）は、アーム載置台の回転を規制する機構を説明するための図であり、図５（ａ）は、アーム載置台３０の回転を規制する機構を示す正面図であり、図５（ｂ）はアーム載置台３０の回転を規制する機構を示す図５（ａ）の円Ｑを拡大したものであり、アーム載置台３０と固定側板４０の関係を示す正面断面図である。
【００２９】
図５（ｂ）においてアーム載置台３０の回転を規制する機構は、アーム載置台３０の内側に設けられたストッパピンガイド溝３８と固定側板４０に配置されストッパピンガイド溝３８に嵌入して移動するようにされたストッパピン４２により構成される。なお、ストッパピンガイド溝３８はアーム載置台３０の内部に溶接などにより取り付けられ、ストッパピン４２の移動部分は袋部３６が構成されていて外側から作業員等の接近ができないようして回転動作時の安全性を高めている。
【００３０】
図５（ｃ）は、図５（ａ）におけるＡ−Ａ線に沿った側面断面矢視図であり、図５（ｂ）に示したアーム載置台３０の回転を規制する機構を側面から見たものに相当し、ストッパピン４２が設けられている固定側板４０とストッパピンガイド溝３８が設けられているアーム載置台３０との間の相互関係を示している。図５（ｃ）からストッパピンガイド溝３８の形状に沿ってアーム載置台３０の袋部３６が構成されているのが見てとれる。
【００３１】
図６（ａ）乃至図６（ｃ）は、アーム載置台の回転をロックするロック機構の構成を示す図であり、図６（ａ）はアーム載置台３０におけるロック機構３７の配置を示す正面図であり、図６（ｂ）は図６（ａ）に示したロック機構３７を拡大した図であり、さらに図６（ｃ）は図６（ｂ）におけるＢ−Ｂ線に沿ったロック機構３７の断面矢視図である。
【００３２】
図６（ｃ）においてロック機構は、ピン２７をロック解除孔２８に挿入して手動によりロックを解除しようとしている状態を示している。つまり、ピン２７をロック解除孔２８に挿入するとピン２７がロックプレートカバー３４に当接し、ロックプレート復帰バネ３５のバネ力に抗してロック状態にあったロックプレート３３を引き戻してロックを解除する。ロック解除状態にあるとき、アーム載置台３０を開け（回転させて）、印字装置１０内部の保守点検作業を行うことができる。なおワイヤ２６の先端に設けられたピン２７をロック解除孔２８に挿入するために自在アーム２５を折り畳んで自在アーム２５とロック解除孔２８とを所定の範囲内に接近させない装着できないようにワイヤ２６の長さを規制している。
【００３３】
そして保守点検作業を終了してアーム載置台３０を戻す場合には、ロックプレート３３が回転ストッパー４３に当たっても、回転ストッパー４３が回転しアーム載置台３０を自動的に閉じることができる。また回転ストッパー復帰バネ４５により回転ストッパー４３が所定の位置へ戻る。なお回転ストッパー復帰バネ４５は固定側板４０に植立された回転ストッパー支柱４４に取付けられている。
【００３４】
一方、ピン２７を手動によりロック解除孔２８から取り外した場合には、ロックプレート復帰バネ３５のバネ力によりロックプレート３３をロック位置に置く。ロックプレート３３がロック位置に置かれた場合には、アーム載置台３０を開け（回転させ）ようとしてもロックプレート３３が固定側板４０に取付けられている回転ストッパー４３に当接して開けることができない。これにより固定側板４０との間でアーム載置台３０を回転しないようにロックすることができる。
【００３５】
図７は、ピン２７をロック解除孔２８に挿入してロック解除を行う様子を示した本発明の実施形態に係る電子装置の裏面斜視図である。
【００３６】
印字装置１０の上搬送メカ部１２を９０度開けて保守作業を開始する前には、図７に示すようにピン２７をロック解除孔２８に挿入する。ワイヤ２６の一方は自在アーム２５に固定され、他方はアーム載置台３０に設けたロック機構３７の解除を行うピン２７に固定されており、ロックを解除してアーム載置台３０を開にした時、ワイヤ２６の長さ分で自在アーム２５の開閉角が規制される。これによりワイヤ２６の長さ分しか自在アーム２５は自由に移動できず、開閉角が制限されるので、保守作業の際に自在アーム２５の開閉角が変わって作業者に危険が及ばないようにすることができる。次に、アーム載置台３０を印字装置１０の基台１８に取り付ける際に使用したねじ１５を外す。
【００３７】
図８は、図７の状態から表示器２０とアーム載置台３０を後側に回転させて、印字装置１０を開放した様子を示す図である。この状態のときには、印字装置１０の上搬送メカ部１２を９０度まで開くことができ、作業員は印字装置１０に対して９０度開いた状態での保守作業を行う。
【００３８】
図９（ａ）は、印字装置１０を開放したときのアーム載置台３０と固定側板４０との関係を示す正面図であり、印字装置１０、表示器２０及び自在アーム２５は図示省略され、また蝶番１７は外されている状態を示している。図９（ａ）には、アーム載置台３０に設けられたロックプレート３３と固定側板４０に設けられた回転ストッパー４３とが分離させられて、ロック機構３７はロック機能を果たせないことが示されている。
【００３９】
図９（ｂ）は、図９（ａ）のアーム載置台３０のＡ−Ａ線に沿った側面断面矢視図であり、アーム載置台３０は９０度全開状態で、ストッパピンガイド溝３８はストッパピン４２に沿って移動させられる。またアーム載置台３０は印字装置１０の基台１８の一部に固定された蝶番１７の支点軸を中心に回転する。固定側板４０は印字装置１０の基台１８の一部に固定された状態を維持する。
【００４０】
【発明の効果】
以上のように本発明の電子装置は、一端に可動自在に表示手段を有し、他端を回転可能にアーム載置台に支持され関節を有するアームと、電子装置の開閉支持部近傍を覆って設置され、開閉可能なアーム載置台と、前記アーム載置台の開閉をロックするロック手段と、前記ロック手段を解除するピンと、前記アームが所定位置にあるときに前記ピンが前記ロック手段と係合可能な長さである前記アームと前記ピンとを結ぶワイヤとを備える構成を有するので、自在アームを載置するアーム載置台が電子装置の開閉の邪魔にならず、メンテナンスの際に表示部と自在アームが所定範囲内にある場合のみアーム載置台を開閉することができるという効果を有する。
【図面の簡単な説明】
【図１】本発明の実施形態に係る電子装置の全体構成を示す前面斜視図
【図２】（ａ）本発明の実施形態に係る電子装置の構成を示す裏面斜視図
（ｂ）（ａ）の円Ｐを拡大して示した図
【図３】ローラ清掃やジャミング除去等を行う場合の表示器位置を示す図
【図４】指挟み防止カバーの機構を説明するための図
【図５】（ａ）アーム載置台の回転を規制する機構を示す正面図
（ｂ）（ａ）の円Ｑを拡大した示した図
（ｃ）（ａ）におけるＡ−Ａ線に沿った側面断面矢視図
【図６】（ａ）アーム載置台におけるロック機構の配置を示す正面図
（ｂ）（ａ）に示したロック機構を拡大した図
（ｃ）（ｂ）におけるＢ−Ｂ線に沿ったロック機構の断面矢視図
【図７】ロック解除を行う様子を示した本発明の実施形態に係る電子装置の裏面斜視図
【図８】印字装置を開放した様子を示す図
【図９】（ａ）印字装置を開放したときのアーム載置台と固定側板との関係を示す正面図
（ｂ）（ａ）のアーム載置台のＡ−Ａ線に沿った側面断面矢視図
【符号の説明】
２  制御部
４  操作部
１０  印字装置
１２  上搬送メカ
１５  ねじ
１７  蝶番
１８  印字装置の基台
２０  表示器
２５  自在アーム
２６  ワイヤ
２７  ピン
２８  ロック解除孔
３０  アーム載置台
３１  指挟み防止カバー
３３  ロックプレート
３４  ロックプレートカバー
３５  ロックプレート復帰バネ
３６  袋部
３７  ロック機構
３８  ストッパピンガイド溝
３９  指挟み防止カバー支点軸
４０  固定側板
４２  ストッパピン
４３  回転ストッパー
４４  回転ストッパー支柱
４５  回転ストッパー復帰バネ
【図１】
0004034118.tif 000002
【図２】
0004034118.tif 000003
【図３】
0004034118.tif 000004
【図４】
0004034118.tif 000005
【図５】
0004034118.tif 000006
【図６】
0004034118.tif 000007
【図７】
0004034118.tif 000008
【図８】
0004034118.tif 000009
【図９】
0004034118.tif 000010